(57)【要約】【課題】カウンタスペースに収納体を設置できるとともに、対面キッチン本来の機能を有する対面キッチン用収納装置を提供する。【解決手段】対面キッチンＡに設けられる収納装置であって、レンジ５の背後に立設されたスクリーン４の後ろ側に設けられた収納体１とカウンタ７に設けられた軌道３とからなり、上記収納体１はその下面略中央部にガイド２を有するとともに、該ガイド２は上記軌道３に着脱自在に取り付けられ、該軌道３に沿って上記収納体１が移動自在とされた対面キッチン用収納装置。【選択図】図１
2006149727.tif 000002
【特許請求の範囲】
【請求項１】
対面キッチンに設けられる収納装置であって、レンジの背後に立設されたスクリーンの後ろ側に設けられた収納体とカウンタに設けられた軌道とからなり、上記収納体はその下面略中央部にガイドを有するとともに、該ガイドは上記軌道に着脱自在に取り付けられ、該軌道に沿って上記収納体が移動自在とされた対面キッチン用収納装置。
【請求項２】
上記収納体がガイドを支点として上記軌道上で回転自在とされた請求項１に記載の対面キッチン用収納装置。
【請求項３】
上記ガイドが上記収納体の下面略中央部に突設された突起部であるとともに、上記軌道がスライドレールである請求項１に記載の対面キッチン用収納装置。
【請求項４】
上記ガイドが上記収納体の下面略中央部に設けられた磁性体であるとともに、上記軌道がカウンタに埋設された磁気レールである請求項１に記載の対面キッチン用収納装置。
【発明の詳細な説明】
【技術分野】
【０００１】
本発明は、対面キッチンのカウンタに設置される収納装置に関する。さらに詳しくは、上記カウンタのスペースを有効に利用するとともに、カウンタに可動式に設置される収納装置に関する。
【背景技術】
【０００２】
近年、主婦が調理しながら家族と会話を楽しんだり、仕上がった料理を直接、テーブルに供することができるように、レンジ、シンク等を備え、前面が開放された対面キッチンが普及している。
【特許文献１】特開２００１−１６１４６６号公報（第１−４頁、第１図）
【発明の開示】
【発明が解決しようとする課題】
【０００３】
上記対面キッチンは、通常、そのカウンタ上のレンジ回りに食事室への油跳ね等を防ぐことを目的として、透明または半透明のスクリーンが立設されている。しかしながら、このスクリーンのレンジ側から見た後ろ側のスペースはデッドスペースとなり、必ずしも有効に利用されてはいないという問題がある。本発明はこのような問題を解決して、スクリーン後方のカウンタスペースを有効に利用するとともに、対面キッチン本来の機能を有し、かつ、食器類や調理器具等のキッチン用品を収納する収納体を備えた対面キッチン用収納装置を提供することをその課題とする。
【課題を解決するための手段】
【０００４】
上記課題を解決するために、本発明においては、つぎのような技術的手段を講じている。すなわち、本発明によれば、対面キッチンに設けられる収納装置であって、レンジの背後に立設されたスクリーンの後ろ側に設けられた収納体とカウンタに設けられた軌道とからなり、上記収納体はその下面略中央部にガイドを有するとともに、該ガイドは上記軌道に着脱自在に取り付けられ、該軌道に沿って上記収納体が移動自在とされた対面キッチン用収納装置が提供される。また、上記収納体は軌道上でガイドを支点として回転自在とされる。
【０００５】
上記ガイドが上記収納体の下面略中央部に突設された突起部であるとともに、上記軌道がスライドレールであることが好ましい。上記突起部はとくに限定されず、コロ、ダボ等、公知の手段が用いられる。
【０００６】
上記ガイドが上記収納体の下面略中央部に設けられた磁性体であるとともに、上記軌道がカウンタに埋設された磁気レールであることが好ましい。上記磁性体としては鉄等の金属磁性体が好ましく用いられ、また、磁気レールとしては強力なマグネットを含む磁気レールが好ましく用いられる。
【発明の効果】
【０００７】
請求項１に記載の発明は上記のとおりであり、レンジの背後に立設されたスクリーンの後ろ側に設けられた収納体が、その下面略中央部に有するガイドをカウンタに設けられた軌道に着脱自在に係合することにより、上記軌道に沿って移動自在とされているため、食事時以外等、対面キッチンを使用しないときは、上記スクリーン後方のカウンタスペースに収納体を配置し、収納スペースとして有効に利用できる。また、食事時には上記スクリーンの正面がオープンとなるように上記収納体を軌道に沿って移動させ、対面キッチン本来の機能を発揮することができる。
【０００８】
上記収納体がガイドを支点として上記軌道上で回転自在とされているため、収納体の後ろ側を簡単に手前とすることが可能であり、上記収納体を、例えばオープン収納棚としたとき、後ろ側に置かれた所望のキッチン用品を使い勝手よく取り出すことができるとともに、取り出した後は容易に元の状態に戻すことができる。
【０００９】
上記ガイドが上記収納体の下面略中央部に突設された係合突起部とされているため、この係合突起部が上記スライドレール上を自在にスライドし、収納体を容易に移動させることができる。
【００１０】
上記ガイドが上記収納体の下面略中央部に設けられた磁性体とされるとともに、上記軌道がカウンタに埋設された磁気レールとされているため、カウンタが面一となり、美観的に優れるとともに、収納体を磁気レールに沿ってスライド自在にスムースに移動させることができる。
【発明を実施するための最良の形態】
【００１１】
以下、本発明の実施形態について図面を参照して、詳細に説明する。図１は、本発明にかかる対面キッチン用収納装置を示す斜視図であり、図２は上記収納体１の下面図である。図１からよくわかるように、上記対面キッチン用収納装置は、レンジ５、シンク６を備えた対面キッチンＡのカウンタ７に設けられた収納体１とスライドレールを実施例とする軌道３とからなり、オープン棚からなる収納体１は、レンジ５の背後に立設された透明なスクリーン４の後ろ側にスライドレール３に沿って移動自在に設けられる。また、図２からよくわかるように、収納体１の下面には上記軌道３に着脱自在に係合し、スライドするガイド２としての係合突起部が突設されている。
【００１２】
図１は、食事時以外等、対面キッチンＡを使用しないときの収納体１の配置を示す。一方、対面キッチンＡを使用して、調理しながら家族と会話を楽しんだり、仕上がった料理を直接食卓に供したい場合は、収納体１が邪魔となるため、上記軌道３に沿って任意の位置に移動させる。図３は、上記軌道３に沿って横方向に移動したときの対面キッチン用収納装置を示す平面図である。このとき、図３によく示されているように、スクリーン４の正面がオープンとなり、対面キッチンＡは本来の機能を発揮する。
【００１３】
図４は、横方向に移動した上記収納体１を、さらに手前、縦方向に移動し、キッチン用品等を容易に取り出せるように配置した状態を示す平面図である。図５は、図４に示す収納体１を上記ガイド２を支点として回転させ、収納体１の後ろ側を手前にした状態を示す平面図である。このようにすることにより、後ろ側に置かれたキッチン用品を使い勝手よく取り出すことができるとともに、取り出した後は容易に元の状態に戻すことができる。
【００１４】
以上述べたように、本発明の収納体１は軌道３に沿って移動自在、また、回転自在とされているため、食事時等は収納体１をスクリーン４の正面がオープンとなるように、軌道３上の任意の位置に配置して対面キッチンＡ本来の機能を発揮させることができる。一方、対面キッチンＡを使用しないときは、スクリーン４の後ろ側の、通常デッドスペースとされる空間を収納空間として有効に利用することができる。
【図面の簡単な説明】
【００１５】
【図１】本発明にかかる対面キッチン用収納装置を示す斜視図である。
【図２】本発明にかかる収納体の下面図である。
【図３】上記収納体を横方向に移動したときの対面キッチン用収納装置を示す平面図である。
【図４】上記収納体を横方向に移動した後、縦方向手前に移動したときの対面キッチン用収納装置を示す平面図である。
【図５】図４に示す収納体を係合突起部を支点として回転させた状態を示す平面図である。
【符号の説明】
【００１６】
Ａ          対面キッチン
１          収納体
２          ガイド
３          軌道
４          スクリーン
５          レンジ
６          シンク
７          カウンタ
【図１】
2006149727.tif 000003
【図２】
2006149727.tif 000004
【図３】
2006149727.tif 000005
【図４】
2006149727.tif 000006
【図５】
2006149727.tif 000007